(57)【要約】【課題】  使用される環境に関わらず、電池の寿命を高い信頼度で保証可能な電源装置を提供する。【解決手段】  標準偏差演算部８２は、メモリ５４に蓄積された所定の期間の電池温度情報を読出して、当該所定の期間における電池温度の温度分布の標準偏差を演算する。ファン作動温度設定部８４は、所定の期間の電池温度分布の標準偏差ＴＤに基づいて、冷却ファン４０のファン作動温度を決定する。このとき、ファン作動温度設定部８４は、電池温度分布が高分布であれば、ファン作動温度を標準分布のときよりも低く設定する。一方、電池温度分布が低分布であれば、ファン作動温度を標準分布のときよりも高く設定する。ファンモード指令部８６は、センサ６０からのメインバッテリＢの電池温度情報ＢＴと、ファン作動温度設定部８４からのファン作動温度ＳＴとに基づいて、ファン４８の送風量を決定する。【選択図】        図２
2006032013.tif 000002
【特許請求の範囲】
【請求項１】
電源と、
前記電源を冷却する冷却装置と、
所定の期間における前記電源の状態量の分布が、所望の状態量の分布に近づくように、前記電源に与える冷却媒体の供給量を制御する制御装置とを備える、電源装置。
【請求項２】
前記制御装置は、
前記電源の温度を検知する電源温度検知手段と、
前記所望の状態量の分布に対する前記所定の期間における電源の状態量の分布の相対的な偏差を比較推定する状態量偏差推定手段と、
検知した前記電源の温度と推定した前記電源の状態量の分布の相対的な偏差とに基づいて、前記冷却媒体の供給量を制御する冷却モード制御手段とを含み、
前記冷却モード制御手段は、前記電源の状態量の分布の偏差が相対的に高いときには、前記冷却媒体の供給量を前記所望の状態量の分布のときよりも多くし、前記電源の状態量の分布の偏差が相対的に低いときには、前記冷却媒体を前記所望の状態量の分布のときよりも少なくする、請求項１に記載の電源装置。
【請求項３】
前記状態量偏差推定手段は、
前記電源の状態量を検知する検知手段と、
前記検知した状態量の前記所定の期間における分布と前記所望の状態量の分布とを比較して、前記電源の状態量の分布の相対的な偏差を推定する推定手段とを含む、請求項２に記載の電源装置。
【請求項４】
前記推定手段は、前記検知した状態量の分布についての標準偏差を演算して前記電源の状態量の分布の相対的な偏差を推定する、請求項３に記載の電源装置。
【請求項５】
前記所定の期間は、互いに長さが異なる複数の期間を含み、
前記推定手段は、前記複数の期間の少なくとも２つの期間における前記検知した状態量の分布の標準偏差の平均値を演算して前記電源の状態量の分布の相対的な偏差を推定する、請求項４に記載の電源装置。
【請求項６】
前記電源の状態量は、前記電源の温度、充放電電流値およびＳＯＣの変動量のうちの少なくとも１つである、請求項３から５のいずれか１項に記載の電源装置。
【請求項７】
前記制御装置は、
前記冷却装置に作動開始を指示するためのしきい値温度を設定する作動温度設定手段をさらに含み、
前記作動温度設定手段は、前記電源の状態量の分布の相対的な偏差に応じて前記しきい値温度を調整して設定し、
前記冷却モード制御手段は、前記検知した電源の温度と設定した前記しきい値温度との温度差に基づいて前記冷却媒体の供給量を決定する、請求項２から６のいずれか１項に記載の電源装置。
【請求項８】
前記作動温度設定手段は、前記電源の状態量の分布が前記所望の状態量の分布に対して相対的に高いときには、前記しきい値温度を相対的に低い温度に設定する、請求項７に記載の電源装置。
【請求項９】
前記作動温度設定手段は、前記電源の状態量の分布が前記所望の状態量の分布に対して相対的に低いときには、前記しきい値温度を相対的に高い温度に設定する、請求項７または８に記載の電源装置。
【発明の詳細な説明】
【技術分野】
【０００１】
この発明は、電源装置に関し、特に、電源を冷却する冷却装置が搭載された電源装置に関する。
【背景技術】
【０００２】
通常、ＥＶ（Electric Vehicle）やＨＶ（Hybrid Vehicle）等の車両において、電気エネルギーによる駆動力は、高電圧の電池から供給される直流電力をインバータによって３相交流電力に変換し、これにより３相交流モータを回転させることにより得ている。また、車両の減速時には、逆に３相交流モータの回生発電により得られる回生エネルギーを電池に蓄電することにより、エネルギーを無駄なく利用して走行している。
【０００３】
このような電池には、車両の走行に関わるため、その信頼度の高いことが求められる。電池の信頼度を保証するためには、電池の劣化状態を検知して、電池の寿命時期を判断することが望ましい。しかしながら、電池の劣化状態は、電池の使用環境によって著しく異なることから、単純に使用開始からの経過年数によって、電池の寿命時期を判断することは困難である。
【０００４】
そこで、従来から、電池の使用環境に基づいて電池の劣化程度および電池の寿命時期を判断する方法が多数提案されている。これらによれば、電池の劣化程度を検知する方法として、電池の各セル電圧のばらつき、電解液の比重、内部抵抗および充電電気量の積算値などを測定し、これらの測定結果をもとに劣化状態や寿命時期を推定する方法が開示されている。
【０００５】
さらに、電池の寿命は、その設置された環境の周辺温度によっても大きく影響されることが知られている。詳細には、電池の寿命は、設置された環境の温度が低いほど長くなり、逆に高くなると短くなる。そこで、電池が設置された環境の温度変化を把握し、これを電池の寿命加速係数に反映して電池の寿命時期を算出する方法も提案されている（たとえば特許文献１および２参照）。
【０００６】
また、車両の走行時において、電池が充電されると、化学反応による反応熱が発生して電池温度が上昇する。この電池温度の上昇によっても、電池の性能および電池の寿命が劣化する。特に、過度の充電は、電池の性能の劣化を加速する要因となる。したがって、電池温度の上昇を抑えるためには、電池の冷却手段が必要となる。
【０００７】
このため、車両においては、電池を冷却するための冷却ファンが搭載される。通常、冷却ファンは、冷却対象となる電池の温度を検知して作動し、冷却対象を所定の温度範囲に調整するという構成が採用される。
【０００８】
本構成によれば、冷却ファンは、電池温度が予め設定された冷却ファン作動温度を超えたことを検知してファンを作動することにより、電池に冷却媒体を供給する。
【特許文献１】特開２００２−３４３４４９号公報
【特許文献２】特開２００１−８６６０１号公報
【発明の開示】
【発明が解決しようとする課題】
【０００９】
ここで、従来の冷却ファンにおいて、冷却ファン作動温度は、予め設定された固定値であり、走行時において検知した電池温度は、常にこの固定値を越えないように調整される。
【００１０】
しかしながら、先述のように、電池は、使用環境によってその劣化状態および寿命時期にばらつきが生じることから、ある固定値のファン作動温度で電池温度を一律に調整する従来の冷却ファンでは、複数の電池間で寿命時期に長短が生じ、信頼度を高度に保証することが難しいという問題があった。
【００１１】
すなわち、電池温度が短期的に見て所定のファン作動温度以下であっても、長期的に見て電池温度が相対的に高温状態となる頻度が高い傾向にあれば、電池の劣化具合が進み、結果として電池の寿命は、標準とされる寿命時期よりも短くなってしまうこととなる。
【００１２】
このように、従来の冷却ファンは、電池の劣化状態までをも考慮した制御にはなっていないことから、いかなる使用環境であっても高い信頼度で電池の寿命時期を保証することが困難であった。
【００１３】
それゆえ、この発明の目的は、使用される環境に関わらず、電池の寿命を高い信頼度で保証可能な電源装置を提供することである。
【課題を解決するための手段】
【００１４】
この発明によれば、電源装置であって、電源と、電源を冷却する冷却装置と、所定の期間における電源の状態量の分布が、所望の状態量の分布に近づくように、電源に与える冷却媒体の供給量を制御する制御装置とを備える。
【００１５】
好ましくは、制御装置は、電源の温度を検知する電源温度検知手段と、所望の状態量の分布に対する所定の期間における電源の状態量の分布の相対的な偏差を比較推定する状態量偏差推定手段と、検知した電源の温度と推定した電源の状態量の分布の相対的な偏差とに基づいて、冷却媒体の供給量を制御する冷却モード制御手段とを含む。冷却モード制御手段は、電源の状態量の分布の偏差が相対的に高いときには、冷却媒体の供給量を所望の状態量の分布のときよりも多くし、電源の状態量の分布の偏差が相対的に低いときには、冷却媒体を所望の状態量の分布のときよりも少なくする。
【００１６】
好ましくは、状態量偏差推定手段は、電源の状態量を検知する検知手段と、検知した状態量の所定の期間における分布と所望の状態量の分布とを比較して、電源の状態量の分布の相対的な偏差を推定する推定手段とを含む。
【００１７】
好ましくは、推定手段は、検知した状態量の分布についての標準偏差を演算して電源の状態量の分布の相対的な偏差を推定する。
【００１８】
好ましくは、所定の期間は、互いに長さが異なる複数の期間を含む。推定手段は、複数の期間の少なくとも２つの期間における検知した状態量の分布の標準偏差の平均値を演算して電源の状態量の分布の相対的な偏差を推定する。
【００１９】
好ましくは、電源の状態量は、電源の温度、充放電電流値およびＳＯＣの変動量のうちの少なくとも１つである。
【００２０】
好ましくは、制御装置は、冷却装置に作動開始を指示するためのしきい値温度を設定する作動温度設定手段をさらに含む。作動温度設定手段は、電源の状態量の分布の相対的な偏差に応じてしきい値温度を調整して設定し、冷却モード制御手段は、検知した電源の温度と設定したしきい値温度との温度差に基づいて冷却媒体の供給量を決定する。
【００２１】
好ましくは、作動温度設定手段は、電源の状態量の分布が所望の状態量の分布に対して相対的に高いときには、しきい値温度を相対的に低い温度に設定する。
【００２２】
好ましくは、作動温度設定手段は、電源の状態量の分布が所望の状態量の分布に対して相対的に低いときには、しきい値温度を相対的に高い温度に設定する。
【発明を実施するための最良の形態】
【００２３】
以下、この発明の実施の形態について図面を参照して詳しく説明する。なお、図中同一符号は同一または相当部分を示す。
【００２４】
［実施の形態１］
図１は、この発明の実施の形態１に従う電源装置の概略ブロック図である。
【００２５】
図１を参照して、電源装置は、交流モータＭに電力を供給するインバータ１０と、インバータ１０を介して電力を供給するメインバッテリＢと、ＤＣ／ＤＣコンバータ２０と、補機バッテリ３０と、冷却ファン４０と、バッテリＢの充放電を制御する電池ＥＣＵ（Electrical Control Unit）５０とを備える。
【００２６】
交流モータＭは、ハイブリッド自動車または電気自動車の駆動輪を駆動するためのトルクを発生するための駆動モータである。また、ハイブリッド自動車においては、交流モータＭは、駆動輪を駆動するモータではなく、エンジンにて駆動される発電機の機能を持つように、そして、エンジンに対して電動機として動作し、たとえばエンジン始動を行ない得るようなモータであってもよい。
【００２７】
メインバッテリＢは、たとえばニッケル水素電池を多数直列に接続した構造からなる。他にも、メインバッテリＢとしては、鉛蓄電池、リチウムイオン電池あるいはキャパシタであってもよい。
【００２８】
インバータ１０は、３相インバータであり、メインバッテリＢから直流電圧が供給されると、図示しない制御回路からの制御信号に基づいて直流電圧を３相交流電圧に変換して交流モータＭを駆動する。これにより、交流モータＭは、指定されたトルクを発生するように駆動される。
【００２９】
ＤＣ／ＤＣコンバータ２０は、メインバッテリＢからの直流電圧を降圧して、補機バッテリ３０および図示しない灯火装置などの補機電気負荷に電力を供給する。補機バッテリ３０に供給された直流電圧は、補機バッテリ３０を充電する。補機バッテリ３０は、たとえば鉛蓄電池である。
【００３０】
冷却ファン４０は、メインバッテリＢを冷却対象とし、補機バッテリ３０を電源として設けられる。なお、本実施の形態に係る電源装置において、冷却ファン４０はメインバッテリＢを冷却対象とするように配されるが、メインバッテリＢの冷却に加えて、他の電気機器（たとえばＤＣ／ＤＣコンバータ２０、インバータ１０または電池ＥＣＵ５０）を冷却ファン４０からの送風にて冷却する配置にしてもよい。
【００３１】
電源装置は、メインバッテリＢの電池温度、端子間電圧、充放電電流値および充電状態（ＳＯＣ：State of Charge）を検知するためのセンサ６０をさらに備える。センサ６０で検知された各種情報は、電池ＥＣＵ５０に伝送される。
【００３２】
電池ＥＣＵ５０は、バッテリ制御に関するプログラムを実行するＣＰＵ５２と、ＣＰＵ５２で実行される制御プログラムやプログラムの実行結果を記憶するメモリ５４と、予め設定された時間の経過を検知するタイマ５６とを含む。
【００３３】
電池ＥＣＵ５０において、センサ６０で検知された電池に関する情報は、図１に示すように、ＣＰＵ５２に転送されるとともに、メモリ５４にも転送される。
【００３４】
メモリ５４は、先の制御プログラムの記憶領域に加えて、転送された電池に関する情報を記憶する領域をも有する。センサ６０から逐次転送される電池に関する情報は、この記憶領域に時系列に従って蓄積される。
【００３５】
ＣＰＵ５２は、メインバッテリＢおよび補機バッテリ３０の蓄電量を制御するとともに、センサ６０で検知された電池温度に基づいて冷却ファン４０の送風量を制御する。このとき、ＣＰＵ５２は、後述するように、タイマ５６からの計時情報をもとに、格納された電池に関する情報をメモリ５４から読出す。ＣＰＵ５２は、後述するように、電池温度の検知結果と読出した電池に関する情報とに基づいて、メインバッテリＢを所望の電池温度に調整する。
【００３６】
以下に、電池ＥＣＵ５０における冷却ファン４０の制御について詳細に説明する。
【００３７】
図２は、図１における電池ＥＣＵ５０による冷却ファン４０の制御を説明するための制御ブロック図である。
【００３８】
図２を参照して、冷却ファン４０は、冷却空気を冷却対象に送風するファン４８と、ファン４８を回転させるファンモータ４６と、ファンモータ４６の回転数を制御するファン回路４２とを備える。
【００３９】
ファン回路４２は、補機バッテリ３０（図示せず）からの供給電圧ＶＣと接地電圧ＧＮＤとを電源電圧とし、電池ＥＣＵ５０のＣＰＵ５２から送られる冷却モード指令信号ＳＩに基づいて、ファンモータ４６の回転数を制御する。これにより、ファン４８の送風量が変化する。さらに、ファン回路４２は、ファンモータ４６の回転数を検出し、検出結果をファン出力信号ＶＭとしてＣＰＵ５２に出力する。
【００４０】
電池ＥＣＵ５０において、ＣＰＵ５２は、メインバッテリＢおよび補機バッテリ３０の蓄電量を制御するバッテリ制御部（図示せず）と、冷却ファン４０を制御する冷却ファン制御部とを含む。
【００４１】
バッテリ制御部は、図示は省略するが、センサ６０で検出したメインバッテリＢの蓄電量に応じて、交流モータＭから発電された電力を使い分ける。たとえば蓄電量が所定の値よりも低ければ、交流モータＭは発電機として作用し、メインバッテリＢを充電する。一方、蓄電量が所定の値よりも高ければ、交流モータＭは電動機として作用し、メインバッテリＢの電力を用いる。
【００４２】
冷却ファン制御部は、標準偏差演算部８２と、ファン作動温度設定部８４と、ファンモード指令部８６とを含む。
【００４３】
標準偏差演算部８２は、メモリ５４に蓄積された所定の期間の電池温度情報を読出して、当該所定の期間における電池温度の温度分布の標準偏差を演算する。このときの所定の期間は、タイマ５６によって計時され、その計時情報が標準偏差演算部８２に与えられる。計時される期間としては、たとえば１年、１月、１週間、１日などが設定される。これらの場合、標準偏差演算部８２は、タイマ５６から与えられる所定の期間に応じて、電池温度の年間温度分布、月間温度分布、週間温度分布、もしくは日間温度分布を求め、求めた温度分布の標準偏差を算出する。
【００４４】
さらに、所定の期間としては、季節ごともしくは製造時点からの期間が設定される。この場合、標準偏差演算部８２は、電池温度の季節ごとの温度分布もしくは製造時点からの温度分布を求め、求めた温度分布の標準偏差を算出する。
【００４５】
このように、標準偏差演算部８２は、所定の期間における電池温度の温度分布の標準偏差を求め、求めた標準偏差を信号ＴＤとして、ファン作動温度設定部８４に入力する。
【００４６】
ファン作動温度設定部８４は、信号ＴＤを受けると、所定の期間での電池温度分布の標準偏差に基づいて、冷却ファン４０を作動させる基準となるファン作動温度を決定する。詳細には、ファン作動温度設定部８４は、標準的な電池温度分布を想定して予め設定されたファン作動温度の初期値を有しており、得られた標準偏差に基づいて、この初期値を増加／減少する微調整を行なう。調整後のファン作動温度は、作動温度信号ＳＴとして、ファンモード指令部８６に与えられる。
【００４７】
ファンモード指令部８６は、センサ６０から送られるメインバッテリＢの電池温度情報ＢＴと、ファン作動温度設定部８４から与えられる作動温度信号ＳＴとに基づいて、ファン４８の送風量を決定する。
【００４８】
具体的には、ファンモード指令部８６は、メインバッテリＢの電池温度とファン作動温度との温度差に応じて送風量が予め段階的に設定された複数の冷却モードを有する。ファンモード指令部８４は、メインバッテリＢの電池温度とファン作動温度との温度差を求め、求めた温度差に応じた送風量を指示する冷却モードを複数の冷却モードの中から選択する。選択された冷却モードは、冷却モード指令信号ＳＩとして、ファン回路４２に出力される。
【００４９】
ファン回路４２は、与えられた冷却モード指令信号ＳＩに対応する送風量となるようにファンモータ４６を駆動する。ファンモータ４６の回転数は、ファン回路４２で検出されると、周波数電圧変換されてファン出力信号ＶＭとしてファンモード指令部８６に出力される。ファンモード指令部８６は、入力されたファン出力信号ＶＭが指示した冷却モードに一致しているか否かを確認して、フィードバック制御を行なう。
【００５０】
図３は、図２におけるファン回路４２の詳細な構成を示す回路図である。
【００５１】
図３を参照して、ファン回路４２は、冷却モード指令信号ＳＩに応じた制御デューティ指令値を発生するＩＣ部４３と、制御デューティ指令値に基づいた３相交流電圧を出力して、ファンモータ４６を駆動するインバータ部４４と、ファンモータ４６の回転数を検出して回転数検出信号ＲＤを周波数電圧変換する周波数電圧変換回路（以下、Ｆ／Ｖ変換回路とも称する）４５とを含む。
【００５２】
インバータ部４４は、ＩＣ部４３からの制御デューティ指令値に基づいて、補機バッテリ３０からの直流電圧をＵ相、Ｖ相、Ｗ相からなる３相交流電圧に変換してファンモータ４６を駆動する。
【００５３】
ファンモータ４６は、３相交流モータであり、３相交流電圧に応じて、冷却モード指令信号ＳＩによって指定された送風量をファン４８から発生させる。
【００５４】
ＩＣ部４３は、さらに、ファンモータ４６の回転数を検出して、回転数検出信号ＲＤをＦ／Ｖ変換回路４５に出力する。
【００５５】
Ｆ／Ｖ変換回路４５は、回転数検出信号ＲＤをその周波数に応じた電圧レベルの信号に変換する。変換後の回転数検出信号ＲＤは、ファン出力信号ＶＭとして、ファンモード指令部８６に伝達される。
【００５６】
再び図２を参照して、ファン作動温度設定部８４におけるファン作動温度の設定方法について、より詳細に説明する。
【００５７】
先述のように、ファン作動温度設定部８４は、所定の期間における電池温度の温度分布に基づいてファン作動温度を調整する。
【００５８】
図４は、図２の標準偏差演算部８２に与えられる電池温度の年間温度分布である。
【００５９】
図４を参照して、実線、点線および一点鎖線で示す温度分布は、図１に示す電源装置が互いに異なる３つの使用環境でそれぞれ使用されたときにおいて、各使用環境において検出された電池温度の年間温度分布である。
【００６０】
詳細には、実線で示す温度分布は、電源装置を年間を通じて予め想定される標準的な使用環境で使用したときの電池温度の温度分布である。これに対して、点線で示す温度分布は、比較的電池温度の高い領域に分布が偏っていることが分かる（以下、高分布とも称する）。一方、一点鎖線で示す温度分布は、比較的電池温度の低い領域にまで分布が広がっていることが分かる（以下、低分布とも称する）。
【００６１】
ここで、点線で示す温度分布（高分布）に着目すると、電池温度の分布が高温側に偏っていることから、電源装置が設置される環境の温度が年間を通じて比較的高いことが予想される。たとえば、当該電源装置を搭載した車両が年間平均気温の比較的高い地域で使用される場合が挙げられる。
【００６２】
または、急激な充放電によっても電池温度が上昇することから、当該電源装置を搭載した車両において、駐車期間よりも走行期間がより長く、かつ走行期間において、急加速や急停止といった電源装置への負荷が比較的大きい走行が中心であることが予想される。
【００６３】
一方、一点鎖線で示す温度分布（低分布）においては、電池温度の分布が低温側に偏っていることから、電源装置が設置される環境の温度が年間を通じて比較的低いことが予想される。たとえば寒冷地などの年間平均気温が比較的低い地域で電源装置が使用される場合が相当する。
【００６４】
または、当該電源装置を搭載した車両において、走行期間よりも駐車期間の方が長く、電池が充放電される回数が比較的少ないことが予想される。
【００６５】
このように、電源装置の使用環境は多様化していることから、所定のファン作動温度（固定値）に基づいて電池温度を一律に調整する従来の冷却方法では、電池の温度分布に図４のような差が生じ、この差が電池の寿命時期にも影響を及ぼすことになる。
【００６６】
詳細には、図４の高分布においては、標準分布よりも電池温度が高温となる頻度が高いことから、電池の劣化の程度がより大きく、電池の寿命時期もより早いと判断される。
【００６７】
一方、図４の低分布においては、標準分布よりも電池温度が高温となる頻度が低いことから、電池の劣化の程度がより小さく、電池の寿命時期もより遅いと判断される。
【００６８】
ここで、高分布においても標準分布と同程度の電池の寿命を保証するためには、冷却ファン４０の作動率を上げて冷却頻度を高めることによって電池温度を下げ、温度分布を標準分布に近づけることが望ましい。そのためには、冷却ファン４０の作動温度を標準分布よりも低くして、より早いタイミングで冷却ファン４０を作動させることが有効である。
【００６９】
一方、低分布については、冷却ファン４０の作動率を低減して冷却頻度を下げても、標準分布と同程度の電池の寿命が十分保証されると判断できる。そこで、冷却ファン４０の作動温度を標準分布よりも高くして冷却ファンの作動タイミングを遅らせれば、車両全体での燃費の改善が実現できる。
【００７０】
このように、冷却ファン４０の作動タイミングを電池の使用環境に応じて調整する構成とすれば、いかなる使用環境においても、電池の寿命を保証することができ、信頼度を高めることができる。さらに、冷却ファン４０を使用環境に応じて効率良く作動させることによって、燃費を改善することも可能となる。
【００７１】
そこで、本実施の形態では、図２に示すファン作動温度設定部８４において、電池の使用環境として電池の温度分布に着目し、これに基づいてファン作動温度を調整する構成とする。具体的には、ファン作動温度設定部８４は、標準偏差演算部８２で求めた標準偏差から電池の温度分布が高分布であると判定されると、ファン作動温度を初期値よりも低い温度に設定する。一方、電池の温度分布が低分布であると判定されると、ファン作動温度設定部８４は、ファン作動温度を初期値よりも高い温度に設定する。
【００７２】
図５は、本実施の形態に従う冷却ファン４０の制御方法を説明するためのフローチャートである。
【００７３】
図５を参照して、イグニッションキーがオフからオンに切り換わり、車両システムが起動すると（ステップＳ０１）、センサ６０は、メインバッテリＢの電池温度を検知し、検知した電池温度を電池ＥＣＵ５０の内部のＣＰＵ５２とメモリ５４とにそれぞれ与える（ステップＳ０２）。
【００７４】
メモリ５４は、製造時点を起算点として、検知した電池温度を時系列に従って逐次蓄積する。蓄積した電池温度の情報は、所定の期間のタイミングで、ＣＰＵ５２の標準偏差演算部８２によって読出される。
【００７５】
ＣＰＵ５２の冷却ファン制御部では、標準偏差演算部８２が、所定の期間の電池温度分布から標準偏差を演算する（ステップＳ０３）。詳細には、標準偏差演算部８２は、タイマ５６で計時された所定の期間における電池温度をメモリ５４から読出し、読出した電池温度の温度分布から所定の期間での標準偏差を算出する。算出した標準分布は、ファン作動温度設定部８４に送られる。
【００７６】
ファン作動温度設定部８４は、電池温度分布の標準偏差をもとに、以下の手順に従ってファン作動温度を調整する。
【００７７】
最初に、ファン作動温度設定部８４は、電池の温度分布が高分布か否かを判定する（ステップＳ０４）。電池の温度分布が高分布であると判定されると、ファン作動温度設定部８４は、ファン作動温度を初期値よりも低い温度に設定する（ステップＳ０５）。
【００７８】
一方、ステップＳ０４において、電池の温度分布が高分布でないと判定されると、続いて、ファン作動温度設定部８４は、温度分布が低分布か否かを判定する（ステップＳ０６）。電池の温度分布が低分布であると判定されると、ファン作動温度設定部８４は、ファン作動温度を初期値よりも高い温度に設定する（ステップＳ０７）。
【００７９】
一方、ステップＳ０４およびＳ０６において、電池の温度分布が高分布でなく、かつ低分布でないと判定されると、ファン作動温度設定部８４は、電池の温度分布が標準分布であると判定して、ファン作動温度を変更することなく、初期値に維持する（ステップＳ０８）。
【００８０】
以上のステップＳ０５，Ｓ０７，Ｓ０８において電池の温度分布に応じて設定されたファン作動温度は、ファンモード指令部８６に送られる。
【００８１】
ファンモード指令部８６では、送られたファン作動温度と電池温度との温度差に基づいて、複数の冷却モードから所望の送風量を指示する冷却モードを選択する（ステップＳ０９）。
【００８２】
さらに、ファンモード指令部８６は、冷却ファン４０のファン回路４２にファンモード指令信号ＳＩを出力する（ステップＳ１０）。これにより、ファン４８からメインバッテリＢに対して所望の送付量の冷却風が供給される。
【００８３】
なお、ステップＳ０３に示す電池温度の温度分布の検出方法については、温度分布を求める所定の期間は、１年、１月、１週間、季節もしくは製造時からの経過時間など、様々な単位の期間に設定することができる。したがって、標準偏差演算部８２は、単一の期間における標準偏差を演算する構成以外に、複数の期間についての標準偏差をそれぞれ算出し、複数の算出結果から総合的な標準偏差を求める構成とすることができる。なお、この場合の各期間の設定は、タイマ５６によって容易に行なうことができる。
【００８４】
図６は、標準偏差演算部８２における電池温度分布の標準偏差の演算方法の一例を示すフローチャートである。以下の手順は、実際には、図５のステップＳ０３において実行されるものである。
【００８５】
図６を参照して、標準偏差演算部８２は、長さが互いに異なる複数の期間における電池の温度分布の標準偏差をそれぞれ求め、得られた複数の演算結果を総合してファン作動温度を決定することを特徴とする。
【００８６】
具体的には、標準偏差演算部８２は、製造時からの経過時間全般にわたって蓄積される電池温度をメモリ５４から読出し、その温度分布から標準偏差を演算する（ステップＳ０３１）。以下において、製造時からの経過時間における温度分布の標準偏差を単に標準偏差（Ａ）とも称する。
【００８７】
次に、標準偏差演算部８２は、現時点までの１年間にわたって蓄積される電池温度をメモリ５４から読出し、その年間温度分布から標準偏差を演算する（ステップＳ０３２）。以下において、年間温度分布の標準偏差を単に標準偏差（Ｂ）とも称する。
【００８８】
続いて、標準偏差演算部８２は、現時点までの１季節（たとえば３カ月とする）にわたって蓄積される電池温度をメモリ５４から読出し、その季節間の温度分布から標準偏差を演算する（ステップＳ０３３）。以下において、季節間の温度分布の標準偏差を標準偏差（Ｃ）とも称する。
【００８９】
さらに、標準偏差演算部８２は、現時点までの１月（もしくは１週間）にわたって蓄積される電池温度をメモリ５４から読出し、その月間（もしくは週間）の温度分布から標準偏差を演算する（ステップＳ０３４）。以下において、月間（もしくは週間）温度分布の標準偏差を標準偏差（Ｄ）とも称する。
【００９０】
さらに、標準偏差演算部８２は、現時点までの１日にわたって蓄積される電池温度をメモリ５４から読出し、その１日の温度分布から標準偏差を演算する（ステップＳ０３５）。以下において、１日の温度分布の標準偏差を標準偏差（Ｅ）とも称する。
【００９１】
最後に、標準偏差演算部８２は、以上のステップＳ０３１〜Ｓ０３５において得られた標準偏差（Ａ）〜（Ｅ）から、これらの平均値を演算し、得られた標準偏差の平均値を総合的な標準偏差とする（ステップＳ０３６）。なお、この演算において、標準偏差（Ａ）〜（Ｅ）の各々に対して重み付けをして平均値を算出する構成とすれば、さらに精度の高い標準偏差を得ることができる。得られた総合的な標準偏差は、ファン作動温度設定部８４に送られる。ファン作動温度設定部８４は、図５のステップＳ０４以降に示す手順に従って、求めた総合的な標準偏差をもとにファン作動温度を調整する。
【００９２】
なお、図６において、標準偏差演算部８２は、標準偏差（Ａ）〜（Ｅ）のうちのいずれか１つを演算して、その演算結果をファン作動温度設定部８４に与える構成としてもよい。もしくは、これらの標準偏差（Ａ）〜（Ｅ）のうちの少なくとも２以上の組合せて、これらの平均値を演算し、演算結果を総合的な標準偏差としてファン作動温度設定部８４に与える構成とすることもできる。
【００９３】
以上のように、この発明の実施の形態１によれば、電池を冷却する冷却ファンの作動タイミングを電池の使用環境に応じて調整することにより、劣化度の高い使用環境においても電池が長寿命化され、電池の信頼度を高めることができる。
【００９４】
さらに、劣化度の低い使用環境においては、冷却ファンの作動率を下げることによって、寿命を保証するとともに、この発明による電源装置を搭載した車両の燃費の改善を図ることができる。
【００９５】
［実施の形態２］
電池の寿命時期は、先述のように、電池温度によって左右される以外に、電池の充放電時に流れる充放電電流量にも大きく影響される。詳細には、充放電される回数が多いほど電池の劣化が進み、特に急激な充放電が繰り返されると、その劣化がさらに加速される。
【００９６】
そこで、本実施の形態では、充放電電流量によって電池の劣化状態を判断し、この判断結果に基づいて冷却ファンの作動タイミングを調整する構成について提案する。電池の劣化の程度に応じて冷却ファンの作動率を調整することで、電池の信頼度の向上を図るものである。
【００９７】
なお、本実施の形態に従う電源装置は、実施の形態１に従う電源装置に対して、ファン作動温度の設定に関する処理方法が異なるのみで、回路構成を同じとすることから、以下においては、図１〜図３に示す回路構成を引用して、この相違点について詳細に説明するものとする。
【００９８】
図２を参照して、本実施の形態において、メモリ５４は、センサ６０で検知されたメインバッテリＢの各種情報（電池温度、端子間電圧、充放電電流値など）のうちの充放電電流値を取り込んで、時系列的に蓄積する。
【００９９】
標準偏差演算部８２は、メモリ５４に蓄積された所定の期間の充放電電流値を読出して、当該所定の期間における充放電電流値の分布から標準偏差を演算する。このときの所定の期間は、タイマ５６によって計時され、その計時情報が標準偏差演算部８２に与えられる。計時される期間としては、たとえば１年、１月、１週間、１日などが設定される。これらの場合、標準偏差演算部８２は、タイマ５６から与えられる所定の期間に応じて、充放電電流値の年間分布、月間分布、週間分布、もしくは日間分布を求め、求めた分布の標準偏差を算出する。
【０１００】
さらに、所定の期間としては、季節ごともしくは製造時点からの期間が設定される。この場合、標準偏差演算部８２は、電池温度の季節ごとの分布もしくは製造時点からの分布を求め、求めた分布の標準偏差を算出する。
【０１０１】
このように、標準偏差演算部８２は、所定の期間における充放電電流値分布の標準偏差を求め、求めた標準偏差を信号ＴＤとして、ファン作動温度設定部８４に入力する。
【０１０２】
ファン作動温度設定部８４は、信号ＴＤを受けると、所定の期間での充放電電流値分布の標準偏差に基づいて、図７に示す手順に従い、冷却ファン４０を作動させる基準となるファン作動温度を決定する。
【０１０３】
図７は、この発明の実施の形態２に従う電源装置における冷却ファン４０のファン作動温度設定動作を説明するためのフローチャートである。
【０１０４】
図７を参照して、イグニッションキーがオフからオンに切り換わり、車両システムが起動すると（ステップＳ２０）、センサ６０は、メインバッテリＢの充放電電流値を検知し、検知した電流値を電池ＥＣＵ５０の内部のＣＰＵ５２とメモリ５４とにそれぞれ与える（ステップＳ２１）。
【０１０５】
メモリ５４は、製造時点を起算点として、検知した充放電電流値を時系列に従って逐次蓄積する。蓄積した充放電電流値の情報は、所定の期間のタイミングで、ＣＰＵ５２の標準偏差演算部８２によって読出される。
【０１０６】
ＣＰＵ５２の冷却ファン制御部では、標準偏差演算部８２が、所定の期間の充放電電流値分布から標準偏差を演算する（ステップＳ２２）。詳細には、標準偏差演算部８２は、タイマ５６で計時された所定の期間における充放電電流値をメモリ５４から読出し、読出した電流値の温度分布から所定の期間での標準偏差を算出する。算出した標準分布は、ファン作動温度設定部８４に送られる。
【０１０７】
ファン作動温度設定部８４は、充放電電流値分布の標準偏差をもとに、以下の手順に従ってファン作動温度を調整する。
【０１０８】
最初に、ファン作動温度設定部８４は、電池の充放電電流値分布が高分布か否かを判定する（ステップＳ２３）。充放電電流値の分布が高分布であると判定されると、ファン作動温度設定部８４は、電源装置への負荷が相対的に高い傾向にあって、電池の劣化度が相対的に高いと判断し、ファン作動温度を初期値よりも低い温度に設定する（ステップＳ２４）。これにより、ファン作動率が上がり、電池の長寿命化が図られる。
【０１０９】
一方、ステップＳ２３において、電池の充放電電流値の分布が高分布でないと判定されると、続いて、ファン作動温度設定部８４は、充放電電流値分布が低分布か否かを判定する（ステップＳ２５）。電池の充放電電流値分布が低分布であると判定されると、ファン作動温度設定部８４は、電源装置への負荷が相対的に低い傾向にあって劣化が少ないと判断し、ファン作動温度を初期値よりも高い温度に設定する（ステップＳ２６）。これにより、冷却ファン４０の作動率が抑えられ、この発明による電源装置を搭載した車両の燃費の改善が図られる。
【０１１０】
一方、ステップＳ２３およびＳ２５において、充放電電流値分布が高分布でなく、かつ低分布でないと判定されると、ファン作動温度設定部８４は、充放電電流値が標準分布であると判断し、ファン作動温度を変更することなく、初期値に維持する（ステップＳ２７）。
【０１１１】
以上のステップＳ２４，Ｓ２６，Ｓ２７において充放電電流値分布に応じて設定されたファン作動温度は、ファンモード指令部８６に送られる。
【０１１２】
ファンモード指令部８６では、さらに、センサ６０で検知された電池温度を受けると（ステップＳ２８）、ファン作動温度と検知された電池温度との温度差に基づいて、複数の冷却モードから所望の送風量を指示する冷却モードを選択する（ステップＳ２９）。
【０１１３】
続いて、ファンモード指令部８６は、冷却ファン４０のファン回路４２にファンモード指令信号ＳＩを出力する（ステップＳ３０）。これにより、ファン４８からメインバッテリＢに対して所望の送付量の冷却風が供給される。
【０１１４】
なお、ステップＳ２２に示す充放電電流値の分布の検出方法において、分布を求める所定の期間は、実施の形態１と同様に、１年、１月、１週間、季節もしくは製造時からの経過時間など、様々な単位の期間に設定することができる。したがって、標準偏差演算部８２は、単一の期間における標準偏差を演算する構成以外に、複数の期間についての標準偏差をそれぞれ算出し、複数の算出結果の平均値から総合的な標準偏差を求める構成とすることができる。
【０１１５】
図８は、標準偏差演算部８２における充放電電流値分布の標準偏差の演算方法の一例を示すフローチャートである。
【０１１６】
図８を参照して、本実施の形態において、標準偏差演算部８２は、長さが互いに異なる複数の期間における電池の充放電電流値分布の標準偏差をそれぞれ求め、得られた複数の演算結果を総合してファン作動温度を決定することを特徴とする。
【０１１７】
具体的には、標準偏差演算部８２は、製造時からの経過時間全般にわたって蓄積される充放電電流値をメモリ５４から読出し、その電流値分布から標準偏差を演算する（ステップＳ２２１）。以下において、製造時からの経過時間における充放電電流値分布の標準偏差を単に標準偏差（Ｆ）とも称する。
【０１１８】
次に、標準偏差演算部８２は、現時点までの１年間にわたって蓄積される充放電電流値をメモリ５４から読出し、その年間電流値分布から標準偏差を演算する（ステップＳ２２２）。以下において、年間充放電電流値分布の標準偏差を単に標準偏差（Ｇ）とも称する。
【０１１９】
続いて、標準偏差演算部８２は、現時点までの１季節（たとえば３カ月とする）にわたって蓄積される充放電電流値をメモリ５４から読出し、その季節間の電流値分布から標準偏差を演算する（ステップＳ２２３）。以下において、季節間の充放電電流値分布の標準偏差を標準偏差（Ｈ）とも称する。
【０１２０】
さらに、標準偏差演算部８２は、現時点までの１月（もしくは１週間）にわたって蓄積される充放電電流値をメモリ５４から読出し、その月間（もしくは週間）の電流値分布から標準偏差を演算する（ステップＳ２２４）。以下において、月間（もしくは週間）の充放電電流値分布の標準偏差を標準偏差（Ｉ）とも称する。
【０１２１】
さらに、標準偏差演算部８２は、現時点までの１日にわたって蓄積される充放電電流値をメモリ５４から読出し、その１日の電流値分布から標準偏差を演算する（ステップＳ２２５）。以下において、１日の充放電電流値分布の標準偏差を標準偏差（Ｊ）とも称する。
【０１２２】
最後に、標準偏差演算部８２は、以上のステップＳ２２１〜Ｓ２２５において、それぞれ得られた標準偏差（Ｆ）〜（Ｊ）の平均値を演算して、その演算結果から総合的な標準偏差を求める（ステップＳ２２６）。ファン作動温度設定部８４は、図７のステップＳ２３以降に示す手順に従って、求めた標準偏差をもとにファン作動温度を設定する。
【０１２３】
なお、標準偏差演算部８２は、図８に示す標準偏差（Ｆ）〜（Ｊ）のうちのいずれか１つを演算して、その演算結果をファン作動温度設定部８４に与える構成としてもよい。もしくは、これらの標準偏差（Ｆ）〜（Ｊ）のうちの少なくとも２以上の組合せた平均値から求めた標準偏差をファン作動温度設定部８４に与える構成とすることもできる。
【０１２４】
以上のように、この発明の実施の形態２によれば、電池の相対的な劣化度を電池に与えられる充放電電流から判断し、判断した劣化度に基づいて、電池を冷却する冷却ファンの作動タイミングを調整することにより、いかなる使用環境においても電池の信頼度を保証できるとともに、この発明による電源装置を搭載した車両の燃費の改善をも図ることができる。
【０１２５】
［実施の形態３］
最後に、本実施の形態では、電池の劣化状態を電池の充電状態（ＳＯＣ）に基づいて判断し、その判断結果に応じて、冷却ファンの作動タイミングを調整する構成について説明する。
【０１２６】
周知のように、電池のＳＯＣは、充放電によって増加または減少し、急激な充放電ほどその変動量が大きくなる。そのため、電池が使用される環境によっては、ＳＯＣに大きな変動が高い頻度で生じる場合や、ほとんど変動がない場合など、ＳＯＣの時間的な変動パターンに違いが現われる。この変動パターンの違いは、先述の電池温度や充放電電流値と同様に、電池の劣化状態および寿命時期に差を生じる一因となる。
【０１２７】
そこで、本実施の形態では、電池のＳＯＣの時間的な変動パターンから電池の劣化状態を推定し、推定した結果に基づいて冷却ファンの作動タイミングを調整するものとする。
【０１２８】
なお、本実施の形態に従う電源装置においても、先の実施の形態１に従う電源装置とは、電池の寿命時期の判定処理が異なるのみで、その回路構成は同じであることから、図１〜図４に示す回路構成を引用して、具体的な判定処理について説明する。
【０１２９】
図２を参照して、メモリ５４は、センサ６０で検知されたメインバッテリＢの各種情報（電池温度、端子間電圧、充放電電流値、ＳＯＣなど）の中からＳＯＣを取り込んで、時系列的に蓄積する。
【０１３０】
標準偏差演算部８２は、メモリ５４に蓄積された所定の期間のＳＯＣを読出して、単位走行時間あたりのＳＯＣの変動量（以下、ΔＳＯＣとも称する）を算出する。このとき、ＳＯＣの変動量ΔＳＯＣは、単位走行時間（たとえば１時間とする）におけるＳＯＣの最高値と最低値との差から求められる。
【０１３１】
さらに、標準偏差演算部８２は、当該所定の期間におけるＳＯＣの変動量ΔＳＯＣの分布から標準偏差を演算する。このときの所定の期間は、タイマ５６によって計時され、その計時情報が標準偏差演算部８２に与えられる。計時される期間としては、たとえば１年、１月、１週間、１日などが設定される。これらの場合、標準偏差演算部８２は、タイマ５６から与えられる所定の期間に応じて、充放電電流値の年間分布、月間分布、週間分布、もしくは日間分布を求め、求めた分布の標準偏差を算出する。
【０１３２】
さらに、所定の期間としては、季節ごともしくは製造時点からの期間が設定される。この場合、標準偏差演算部８２は、電池温度の季節ごとの分布もしくは製造時点からの分布を求め、求めた分布の標準偏差を算出する。
【０１３３】
このように、標準偏差演算部８２は、所定の期間におけるΔＳＯＣの分布の標準偏差を求め、求めた標準偏差を信号ＴＤとして、ファン作動温度設定部８４に入力する。
【０１３４】
ファン作動温度設定部８４は、信号ＴＤを受けると、所定の期間でのΔＳＯＣの分布の標準偏差に基づいて、図９に示す手順に従い、冷却ファン４０を作動させる基準となるファン作動温度を決定する。
【０１３５】
図９は、この発明の実施の形態３に従う電源装置における冷却ファン４０のファン作動温度設定動作を説明するためのフローチャートである。
【０１３６】
図９を参照して、イグニッションキーがオフからオンに切り換わり、車両システムが起動すると（ステップＳ４０）、センサ６０は、メインバッテリＢのＳＯＣを検知し、検知したＳＯＣを電池ＥＣＵ５０の内部のＣＰＵ５２とメモリ５４とにそれぞれ与える（ステップＳ４１）。
【０１３７】
メモリ５４は、製造時点を起算点として、検知したＳＯＣを時系列に従って逐次蓄積する。蓄積したＳＯＣの情報は、所定の期間のタイミングで、ＣＰＵ５２の標準偏差演算部８２によって読出される。
【０１３８】
ＣＰＵ５２の冷却ファン制御部では、標準偏差演算部８２が、ＳＯＣの変動量ΔＳＯＣについて、所定の期間における分布から標準偏差を演算する（ステップＳ４２）。詳細には、標準偏差演算部８２は、タイマ５６で計時された所定の期間におけるＳＯＣをメモリ５４から読出し、読出したＳＯＣの変動量ΔＳＯＣの分布から所定の期間での標準偏差を算出する。算出した標準分布は、ファン作動温度設定部８４に送られる。
【０１３９】
ファン作動温度設定部８４は、ΔＳＯＣの分布の標準偏差をもとに、以下の手順に従ってファン作動温度を調整する。
【０１４０】
最初に、ファン作動温度設定部８４は、電池のΔＳＯＣの分布が高分布か否かを判定する（ステップＳ４３）。ΔＳＯＣの分布が高分布であると判定されると、ファン作動温度設定部８４は、電源装置への負荷が相対的に高い傾向にあって、劣化度が相対的に高いと判断し、ファン作動温度を初期値よりも低い温度に設定する（ステップＳ４４）。これにより、ファン作動率が上がり、電池の長寿命化が図られる。
【０１４１】
一方、ステップＳ４３において、ΔＳＯＣの分布が高分布でないと判定されると、続いて、ファン作動温度設定部８４は、ΔＳＯＣの分布が低分布か否かを判定する（ステップＳ４５）。ΔＳＯＣの分布が低分布であると判定されると、ファン作動温度設定部８４は、電源装置への負荷が相対的に低い傾向にあって劣化が少ないと判断し、ファン作動温度を初期値よりも高い温度に設定する（ステップＳ４６）。これにより、ファンの作動率が抑えられ、この発明による電源装置を搭載した車両の燃費の改善が図られる。
【０１４２】
一方、ステップＳ４３およびＳ４５において、ΔＳＯＣの分布が高分布でなく、かつ低分布でないと判定されると、ファン作動温度設定部８４は、ΔＳＯＣが標準分布であると判断し、ファン作動温度を変更することなく、初期値に維持する（ステップＳ４７）。
【０１４３】
以上のステップＳ４４，Ｓ４６，Ｓ４７において、ΔＳＯＣの分布に応じて設定されたファン作動温度は、ファンモード指令部８６に送られる。
【０１４４】
ファンモード指令部８６では、センサ６０で検知された電池温度を受けると（ステップＳ４８）、ファン作動温度と検知された電池温度との温度差に基づいて、複数の冷却モードから所望の送風量を指示する冷却モードを選択する（ステップＳ４９）。
【０１４５】
さらに、ファンモード指令部８６は、冷却ファン４０のファン回路４２にファンモード指令信号ＳＩを出力する（ステップＳ５０）。これにより、ファン４８からメインバッテリＢに対して所望の送付量の冷却風が供給される。
【０１４６】
なお、ステップＳ４２に示すΔＳＯＣの分布の演算方法において、分布を求める所定の期間は、実施の形態１と同様に、１年、１月、１週間、季節もしくは製造時からの経過時間など、様々な単位の期間に設定することができる。したがって、標準偏差演算部８２は、単一の期間における標準偏差を演算する構成以外に、複数の期間についての標準偏差をそれぞれ算出し、複数の算出結果の平均値から総合的な標準偏差を求める構成とすることができる。
【０１４７】
図１０は、標準偏差演算部８２におけるＳＯＣの変動量分布の標準偏差の演算方法の一例を示すフローチャートである。
【０１４８】
図１０を参照して、本実施の形態に係る電源装置は、長さが互いに異なる複数の期間における電池のＳＯＣの変動量分布から標準偏差をそれぞれ求め、得られた複数の演算結果を総合してファン作動温度を決定することを特徴とする。
【０１４９】
具体的には、標準偏差演算部８２は、製造時からの経過時間全般にわたって蓄積されるＳＯＣをメモリ５４から読出し、ＳＯＣの変動量ΔＳＯＣの分布から標準偏差を演算する（ステップＳ４２１）。以下において、製造時からの経過時間におけるＳＯＣの変動量分布の標準偏差を単に標準偏差（Ｋ）とも称する。
【０１５０】
次に、標準偏差演算部８２は、現時点までの１年間にわたって蓄積されるＳＯＣをメモリ５４から読出し、ΔＳＯＣの年間分布から標準偏差を演算する（ステップＳ４２２）。以下において、年間のΔＳＯＣ分布の標準偏差を単に標準偏差（Ｌ）とも称する。
【０１５１】
続いて、標準偏差演算部８２は、現時点までの１季節（たとえば３カ月とする）にわたって蓄積されるＳＯＣをメモリ５４から読出し、季節間のΔＳＯＣの分布から標準偏差を演算する（ステップＳ４２３）。以下において、季節間のΔＳＯＣ分布の標準偏差を標準偏差（Ｍ）とも称する。
【０１５２】
さらに、標準偏差演算部８２は、現時点までの１月（もしくは１週間）にわたって蓄積されるＳＯＣをメモリ５４から読出し、その月間（もしくは週間）のΔＳＯＣ分布から標準偏差を演算する（ステップＳ４２４）。以下において、月間（もしくは週間）のΔＳＯＣ分布の標準偏差を標準偏差（Ｎ）とも称する。
【０１５３】
さらに、標準偏差演算部８２は、現時点までの１日にわたって蓄積されるＳＯＣをメモリ５４から読出し、その１日のΔＳＯＣ分布から標準偏差を演算する（ステップＳ４２５）。以下において、１日のΔＳＯＣ分布の標準偏差を標準偏差（Ｏ）とも称する。
【０１５４】
最後に、標準偏差演算部８２は、以上のステップＳ４２１〜Ｓ４２５において、それぞれ得られた標準偏差（Ｋ）〜（Ｏ）の平均値を演算して、その演算結果から総合的な標準偏差を求める（ステップＳ４２６）。ファン作動温度設定部８４は、図９のステップＳ４３以降に示す手順に従って、求めた標準偏差をもとにファン作動温度を設定する。
【０１５５】
なお、標準偏差演算部８２は、図１０に示す標準偏差（Ｋ）〜（Ｏ）のうちのいずれか１つを演算して、その演算結果をファン作動温度設定部８４に与える構成としてもよい。もしくは、これらの標準偏差（Ｋ）〜（Ｏ）のうちの少なくとも２以上の組合せの平均値から求めた標準偏差をファン作動温度設定部８４に与える構成とすることもできる。
【０１５６】
さらには、図６，図８および図１０にて示した電池温度、充放電電流値およびΔＳＯＣの標準偏差（Ａ）〜（Ｏ）について、総合的な平均値を演算し、演算から得られた総合的な標準偏差をファン作動温度設定部８４に与える構成としてもよい。
【０１５７】
以上のように、この発明の実施の形態３によれば、電池の相対的な劣化度を電池のＳＯＣの変動量の時間的遷移から判断し、判断した劣化度に基づいて、電池を冷却する冷却ファンの作動タイミングを調整することにより、いかなる使用環境においても電池の信頼度を保証できるとともに、この発明による電源装置を搭載した車両の燃費の改善をも図ることができる。
【０１５８】
今回開示された実施の形態はすべての点で例示であって制限的なものではないと考えられるべきである。本発明の範囲は上記した説明ではなく、特許請求の範囲によって示され、特許請求の範囲と均等の意味および範囲内でのすべての変更が含まれることが意図される。
【産業上の利用可能性】
【０１５９】
この発明に係る電源装置は、電動機を駆動源とする車両に搭載される電源装置に適用することができる。
【図面の簡単な説明】
【０１６０】
【図１】この発明の実施の形態１に従う電源装置の概略ブロック図である。
【図２】図１における電池ＥＣＵによる冷却ファンの制御を説明するための制御ブロック図である。
【図３】図２におけるファン回路の詳細な構成を示す回路図である。
【図４】図２の標準偏差演算部に与えられる電池温度の年間温度分布である。
【図５】この発明の実施の形態１に従う冷却ファンの制御方法を説明するためのフローチャートである。
【図６】標準偏差演算部における電池温度分布の標準偏差の演算方法の一例を示すフローチャートである。
【図７】この発明の実施の形態２に従う電源装置における冷却ファンのファン作動温度設定動作を説明するためのフローチャートである。
【図８】標準偏差演算部における充放電電流値分布の標準偏差の演算方法の一例を示すフローチャートである。
【図９】この発明の実施の形態３に従う電源装置における冷却ファンのファン作動温度設定動作を説明するためのフローチャートである。
【図１０】標準偏差演算部におけるＳＯＣの変動量分布の標準偏差の演算方法の一例を示すフローチャートである。
【符号の説明】
【０１６１】
１０  インバータ、２０  ＤＣ／ＤＣコンバータ、３０  補機バッテリ、４０  冷却ファン、４２  ファン回路、４３  ＩＣ部、４４  インバータ部、４５  Ｆ／Ｖ変換回路、４６  ファンモータ、４８  ファン、５０  電池ＥＣＵ、５２  ＣＰＵ、５４  メモリ、５６  タイマ、６０  センサ、８２  標準偏差演算部、８４  ファン作動温度設定部、８６  ファンモード指令部、Ｂ  メインバッテリ、Ｍ  交流モータ、ＳＩ  冷却モード指令信号、ＶＭ  ファン出力信号、ＲＤ  回転数検出信号。
【図１】
2006032013.tif 000003
【図２】
2006032013.tif 000004
【図３】
2006032013.tif 000005
【図４】
2006032013.tif 000006
【図５】
2006032013.tif 000007
【図６】
2006032013.tif 000008
【図７】
2006032013.tif 000009
【図８】
2006032013.tif 000010
【図９】
2006032013.tif 000011
【図１０】
2006032013.tif 000012